(57)【要約】【課題】電源が入っているときのＳＩＭカードの着脱を防ぐとともに、手間をかけることなくＳＩＭカードの装着方向を修正することが可能な携帯通信端末を提供すること。【解決手段】電力供給用の電池パック４と、電池パック４を装着するための空間を有する電池パック装着部５と、切欠部２３を有するＳＩＭカード３と、電池パック装着部５に隣接して設けられたＳＩＭカード装着部１と、電池パック装着部５とＳＩＭカード装着部１の間に位置するロック部材２２を含むロック機構２と、を有し、ロック部材２２は、ＳＩＭカード３の切欠部２３に対応する形状であり、ＳＩＭカード装着部１に装着されたＳＩＭカード３の切欠部２３に入り込んで電池パック装着部５の空間の内部または上方にはみ出さない第１の位置と、ロック部材２２の一部が電池パック装着部５の空間の内部または上方にはみ出している第２の位置との間を移動可能である。【選択図】図１
2010124306.tif 000002
【特許請求の範囲】
【請求項１】
電力供給用の電池パックと、
前記電池パックを装着するための空間を有する電池パック装着部と、
切欠部を有するＳＩＭカードと、
前記電池パック装着部に隣接して設けられたＳＩＭカード装着部と、
前記電池パック装着部と前記ＳＩＭカード装着部の間に位置するロック部材を含むロック機構と、を有し、
前記ロック部材は、前記ＳＩＭカードの前記切欠部に対応する形状であり、前記ＳＩＭカード装着部に装着された前記ＳＩＭカードの前記切欠部に入り込んで前記電池パック装着部の前記空間の内部または上方にはみ出さない第１の位置と、前記ロック部材の一部が前記電池パック装着部の前記空間の内部または上方にはみ出している第２の位置との間を移動可能である、携帯通信端末。
【請求項２】
請求項１に記載の携帯通信端末において、
前記ロック部材は、前記第１の位置にあるときには、前記電池パックの前記電池パック装着部への装着を許容し、前記第２の位置にあるときには、前記電池パック装着部の前記空間の内部または上方にはみ出している部分が前記電池パックの前記電池パック装着部への装着を阻止する、携帯通信端末。
【請求項３】
請求項１または請求項２に記載の携帯通信端末において、
前記ＳＩＭカードは、前記電池パック装着部の前記空間を通る移動によって、前記ＳＩＭカード装着部への着脱が可能である、携帯通信端末。
【請求項４】
請求項１から請求項３までのいずれか１項に記載の携帯通信端末において、
前記ロック機構は、
前記ＳＩＭカード装着部と前記電池パック装着部の間であって、前記ＳＩＭカード装着部に装着された前記ＳＩＭカードの一部に対向する位置にある軸を有し、
前記ロック部材は、前記軸を中心として前記第１の位置と前記第２の位置との間を回転移動可能であり、前記第２の位置において前記ＳＩＭカードの前記ＳＩＭカード装着部への着脱を可能にし、前記ＳＩＭカードが前記ＳＩＭカード装着部に装着されたときには、装着された前記ＳＩＭカードの前記切欠部が前記軸に対向している場合にのみ、前記第２の位置から前記第１の位置へ回転移動可能である、携帯通信端末。
【請求項５】
請求項４に記載の携帯通信端末において、
前記ＳＩＭカードは、長方形の角の一つが三角形状に切除されることによって前記切欠部が形成された形状であり、
前記軸は、前記ＳＩＭカード装着部に装着された前記ＳＩＭカードの一つの角隅部に対向する位置にある、携帯通信端末。
【請求項６】
請求項１から請求項５までのいずれか１項に記載の携帯通信端末において、
前記ロック部材は、厚みが前記ＳＩＭカード装着部と同じかまたは前記ＳＩＭカード装着部よりも薄い、携帯通信端末。
【発明の詳細な説明】
【技術分野】
【０００１】
本発明は、ＳＩＭカードおよび電池パックを着脱可能な携帯通信端末に関する。
【背景技術】
【０００２】
携帯通信端末の一例である携帯電話機には、通信を行うためにＳＩＭ（Subscriber Identity Module）カードを必要とするものがある。ＳＩＭカードは、電話番号など契約者固有の情報が記録されているＩＣ（Integrated Circuit）カードである。ＳＩＭカードを差し替えることによって、任意の携帯電話機を、自分が所有している携帯電話機と同様に使用することが可能となる。そのため、ＳＩＭカードは、通常、着脱可能とされている。
【０００３】
また、携帯電話機には、通常、着脱可能な部品として電源である電池パックがあるが、携帯電話機の電源がオンの状態で（電池パックから電力が供給されているときに）ＳＩＭカードが着脱されると、ＳＩＭカードに不具合が生じる場合がある。そこで、このような不具合の発生を防ぐ構造を有する携帯電話機が提案されており、特許文献１に開示されている。
【０００４】
図５は、特許文献１に開示された携帯電話機において、電池パックを取り外した状態を示す図である。この携帯電話機は、電池パックを装着するための空間（凹み）である電池挿入用凹部３１と、電池挿入用凹部３１の側面に形成された開口部３３と、開口部３３を開閉するＳＩＭカードロック蓋３４と、有する。なお、この携帯電話機で用いられるＳＩＭカード３２は、図６に示すように、長方形の角の一つが三角形状に切除された部分を有し、開口部３３を通じて携帯電話機に着脱可能とされている。
【０００５】
また、ＳＩＭカードロック蓋３４は、図７に示すように一端に回転軸４１を備え、この回転軸４１を中心として回転する。このとき、ＳＩＭカードロック蓋３４は、電池挿入用凹部３１内で開口部３３を開閉する。そのため、電池パックが電池挿入用凹部３１に装着されている場合には、ＳＩＭカードロック蓋３４が回転できないため開口部３３を開くことができない。これにより、携帯電話機の電源がオン状態でのＳＩＭカードの着脱を防ぐことが可能になる。
【特許文献１】特開２００５−１５９６３８号公報
【発明の開示】
【発明が解決しようとする課題】
【０００６】
特許文献１に開示された携帯電話機のようにＳＩＭカードの装着が必要な携帯電話機では、通常、ＳＩＭカードに記録されている情報を読み取る機構の構成および配置場所に応じて、ＳＩＭカードの装着方向が予め定められている。ＳＩＭカードの装着方向が誤っていると、このような携帯電話機は、電源がオン状態になってもＳＩＭカードに記録されている情報を読み取れないので通信不能な状態になる。この場合、ＳＩＭカードを取り外して装着し直す必要があるが、特許文献１に開示された携帯電話機は、電池パックを取り外さないとＳＩＭカード３２を取り外すことができない。そのため、ＳＩＭカード３２の装着方向が誤っていた場合、電池パックを取り外すことが必要になり、ＳＩＭカードの装着方向を修正するのに手間がかかることになる。
【０００７】
本発明は、電源が入っているときのＳＩＭカードの着脱を防ぐとともに、手間をかけることなくＳＩＭカードの装着方向を修正することが可能な携帯通信端末を提供することを目的とする。
【課題を解決するための手段】
【０００８】
上記目的を達成するための本発明による携帯通信端末は、
電力供給用の電池パックと、
前記電池パックを装着するための空間を有する電池パック装着部と、
切欠部を有するＳＩＭカードと、
前記電池パック装着部に隣接して設けられたＳＩＭカード装着部と、
前記電池パック装着部と前記ＳＩＭカード装着部の間に位置するロック部材を含むロック機構と、を有し、
前記ロック部材は、前記ＳＩＭカードの前記切欠部に対応する形状であり、前記ＳＩＭカード装着部に装着された前記ＳＩＭカードの前記切欠部に入り込んで前記電池パック装着部の前記空間の内部または上方にはみ出さない第１の位置と、前記ロック部材の一部が前記電池パック装着部の前記空間の内部または上方にはみ出している第２の位置との間を移動可能である。
【発明の効果】
【０００９】
本発明によれば、電池パックが電池パック装着部に装着されている場合にはＳＩＭカードをコネクタへ着脱できない構造となっており、電源がオン状態のときのＳＩＭカードの着脱を防ぐことが可能な携帯通信端末において、ＳＩＭカードのＳＩＭカード装着部への装着方向が誤っていた場合には、電池パックが電池パック装着部に装着される前に、ロック機構によって、ＳＩＭカードの装着方向の誤りを使用者に気付かせることが可能になる。これにより、一旦装着した電池パックを取り外すという手間を生じさせることなくＳＩＭカードの装着方向を修正することが可能となる。
【発明を実施するための最良の形態】
【００１０】
本発明の携帯通信端末の実施形態について、図面を参照しながら説明する。
【００１１】
本実施形態の携帯通信端末は、ＳＩＭカードおよび電池パックを着脱可能な携帯電話機であり、図１は、本実施形態の携帯電話機の要部の構成を示す斜視図である。
【００１２】
本実施形態の携帯電話機は、図１に示すように、ＳＩＭカード装着部１と、ロック機構２と、ＳＩＭカード３と、電池パック４と、電池パック装着部５と、を有する。本実施形態の携帯電話機では、ＳＩＭカード３は、図６に示す従来のＳＩＭカード３２と同様の形状であって、長方形の角の一つが三角形状に切除された切欠部２３を有し、ＳＩＭカード装着部１に着脱可能である。また、電池パック４は、本実施形態の携帯電話機の電源であり、電池パック装着部５に着脱可能である。なお、本実施形態の携帯電話機には、図示しないが、上記の構成以外にも、通信を行うための通信機能部、使用者が操作するための操作部、および表示動作を行う表示部などが設けられている。
【００１３】
本実施形態の携帯電話機は、電池パック４が電池パック装着部５に装着されている状態でＳＩＭカード３をＳＩＭカード装着部１に着脱できない構造を有し、さらに、ＳＩＭカード３のＳＩＭカード装着部１への装着方向が誤っている場合にロック機構２が電池パック４の電池パック装着部５への装着を阻止する構造を有する。以下、各構成について詳細に説明する。
【００１４】
ＳＩＭカード装着部１は、電池パック装着部５に隣接して設けられ、ＳＩＭカード３を挿抜するための開口部が電池パック装着部５に対向している。これにより、本実施形態の携帯電話機は、ＳＩＭカード３が、電池パック装着部５が有する電池パック４を装着するための空間を通らないとＳＩＭカード装着部１に着脱できない構造になっている。すなわち、本実施形態の携帯電話機は、電池パック４が電池パック装着部５に装着されているときにＳＩＭカード３をＳＩＭカード装着部１に着脱できない構造になっている。従って、携帯電話機の電源がオン状態のときのＳＩＭカードの着脱を防止することが可能となる。
【００１５】
ＳＩＭカード装着部１と電池パック装着部５の間には、ロック機構２が設けられている。ロック機構２は、軸２１と、ロック部材２２とで構成される。軸２１は、ＳＩＭカード装着部１にＳＩＭカード３が装着されたときに、そのＳＩＭカード３の一つの角隅部に対向する位置に配置される。角隅部とは、ＳＩＭカード３において、３つの角部および切欠部２３のことである。ロック部材２２は、形状が切欠部２３の形状に対応して定められ、軸２１を中心として第１の位置と第２の位置との間を手動にて回転移動可能なものである。第１の位置とは、図２に示すように、ロック部材２２が電池パック装着部５の空間の内部または上方にはみ出ることなく、ＳＩＭカード装着部１に装着されたＳＩＭカード３の切欠部２３に入り込んだ位置をいう。また、第２の位置とは、図１に示すように、ロック部材２２の一部が電池パック装着部５の空間の内部または上方にはみ出している位置のことをいう。
【００１６】
なお、本実施形態では、ロック部材２２は、厚みがＳＩＭカード装着部１と同じかまたは薄くなるように金属またはプラスチックが扇形に成形されたものとする。ロック部材２２は、ＳＩＭカード３の切欠部２３に対応する形状であるが、これは長方形から切除された三角形と全く同じ形状というわけではない。すなわち、図２に示すように、ロック部材２２は、切欠部２３にほとんど入り込むことができ、しかも切欠部２３に入り込んだ状態から軸２１を中心として回転移動して切欠部２３から脱出できるように、切欠部２３よりも小さな寸法であって斜辺が曲線状になっている。
【００１７】
次に、ＳＩＭカード３を着脱させる際のロック機構２の動作について説明する。まず、ＳＩＭカード３をＳＩＭカード装着部１へ装着する場合について説明する。なお、本実施形態では、上述したように電池パック４が電池パック装着部５に装着されている場合には、ＳＩＭカード３を装着することが不可能なので、電池パック４が電池パック装着部５に装着されていない状態で、ＳＩＭカード３のＳＩＭカード装着部１への装着が行われる。また、本実施形態では、切欠部２３が軸２１に対向するようにＳＩＭカード３がＳＩＭカード装着部１に装着された状態が、正しい装着状態である。
【００１８】
ＳＩＭカード３がＳＩＭカード装着部１に装着される前、ロック部材２２は、図１、図３に示す第２の位置に手動にて回転移動させられる。ロック部材２２が第２の位置にあるときには、このロック部材２２は、ＳＩＭカード３がＳＩＭカード装着部１に挿入される際の移動経路の外側に位置し、ＳＩＭカード３の移動の妨げとなることはない。続いて、図３に示すようにＳＩＭカード３が正しい向きでＳＩＭカード装着部１に挿入され、ＳＩＭカード３の切欠部２３が軸２１と対向する状態になると、ロック部材２２は、第２の位置から図２に示す第１の位置へ手動にて回転移動させられる。ロック部材２２が第１の位置に回転移動すると、電池パック装着部５の電池パック４を装着するための空間の内部や上方にロック部材２２がはみ出していないので、電池パック４の電池パック装着部５への装着が、ロック部材２２によって妨げられることなく可能となる。
【００１９】
しかし、ＳＩＭカード３がＳＩＭカード装着部１に正しい向きで装着されていない場合、すなわち、ＳＩＭカード３がＳＩＭカード装着部１に、切欠部２３が軸２１に対向しない状態で装着された場合、ロック部材２２は、図４に示すようにＳＩＭカード３に接触して第２の位置から第１の位置へ回転移動できない。そのため、ロック部材２２の一部が電池パック装着部５の空間にはみ出た状態となるため、電池パック４の電池パック装着部５への装着ができなくなる。これにより、電池パック４を電池パック装着部５へ装着する前にＳＩＭカード装着部１におけるＳＩＭカード３の装着方向の誤りを携帯電話機の使用者に気付かせることが可能となる。
【００２０】
一方、ＳＩＭカード３をＳＩＭカード装着部１から取り外す場合には、まず、電池パック４が電池パック装着部５に装着されている場合には、電池パック４が電池パック装着部５から取り外され、ロック部材２２が第１の位置から第２の位置へ手動にて回転移動させられる。これで、ロック部材２２がＳＩＭカード３の移動経路の外側に位置するので、ＳＩＭカード３は、ＳＩＭカード装着部１から取り外し可能な状態になる。そこで、ＳＩＭカード３がＳＩＭカード装着部１から抜き取られる。
【００２１】
前記の通り、本実施形態では、ＳＩＭカード装着部１に対するＳＩＭカード３の装着方向が誤っていた場合には、ロック機構２によって、電池パック４が電池パック装着部５に装着される前にＳＩＭカード３の装着方向の誤りを使用者に気付かせることが可能となる。これは、ＳＩＭカード装着部１に装着されたＳＩＭカード３の切欠部２３が軸２１に対向していない場合、すなわち、ＳＩＭカード装着部１に対するＳＩＭカード３の装着方向が誤っていた場合、ロック部材２２が第１の位置へ回転移動できなくなることによって、電池パック４の電池パック５への装着が阻止されるからである。これにより、一旦装着した電池パック４を取り外すという手間を生じさせることなくＳＩＭカード３の装着方向を修正することが可能となる。
【００２２】
また、本実施形態では、ロック機構２は、ロック部材２２が軸２１を中心として手動にて回転移動するという簡易な構成の機構であり、ロック部材２２がＳＩＭカード装着部１よりも厚い構造ではない。これにより、経済的に優れ、かつ携帯電話機の薄型化を妨げない機構で、ＳＩＭカード３の装着方向を修正することが可能となる。
【００２３】
なお、本発明の携帯通信端末は、携帯電話機に限定されるものではなく、例えば、ＳＩＭカードおよび電池パックを着脱可能なＰＨＳ（Personal Handyphone System）やＰＤＡ（Personal Digital Assistant）であってもよい。すなわち、本発明は、切欠部を有するＳＩＭカード、および電池パックを着脱可能な携帯通信端末に適用することが可能である。
【図面の簡単な説明】
【００２４】
【図１】本実施形態の携帯電話機の要部の構成を示す斜視図である。
【図２】本実施形態の携帯電話機において、ＳＩＭカードが正しく装着された状態の要部を示す平面図である。
【図３】本実施形態の携帯電話機において、ＳＩＭカードが正しい向きで挿入されている状態の要部を示す平面図である。
【図４】本実施形態の携帯電話機において、ＳＩＭカードが誤った向きで装着された状態の要部を示す平面図である。
【図５】特許文献１に開示された携帯電話機の構造を示す斜視図である。
【図６】携帯通信端末で用いられるＳＩＭカードを示す平面図である。
【図７】特許文献１に開示された携帯電話機を構成するＳＩＭカードロック蓋の構造を示す斜視図である。
【符号の説明】
【００２５】
１  ＳＩＭカード装着部
２  ロック機構
３、３２  ＳＩＭカード
４  電池パック
５  電池パック装着部
２１  軸
２２  ロック部材
２３  切欠部
３１  電池挿入用凹部
３３  開口部
３４  ＳＩＭカードロック蓋
４１  回転軸
【図１】
2010124306.tif 000003
【図２】
2010124306.tif 000004
【図３】
2010124306.tif 000005
【図４】
2010124306.tif 000006
【図５】
2010124306.tif 000007
【図６】
2010124306.tif 000008
【図７】
2010124306.tif 000009